(57)【要約】【課題】フィルタの誤組付け防止ができるブロア装置を実現する。【解決手段】内気導入口１２と外気導入口１３との下方に配設されるフィルタ挿入部１５と、このフィルタ挿入部１５に着脱自在に配置され、空気中の粉塵、埃を除去するフィルタ６が所定のピッチに基づいて、山折、谷折を交互に配列するように形成されたフィルタ体５と、フィルタ挿入部１５のフィルタ挿入口１５１を塞ぐとともに、フィルタ体５の一端部を支持する支持部２３を有するフィルタカバー２１とを備え、フィルタカバー２１には、フィルタ体５の隣り合う山折と山折もしくは隣り合う谷折と谷折との間の空間に突き出すように形成された突起部２５が支持部２３に設けられたことを特徴と。これにより、誤組付け防止ができる。【選択図】図４
2008120219.tif 000002
【特許請求の範囲】
【請求項１】
内気または外気を導入して熱交換器で熱交換させるために空気流れ下流側に送風するブロア装置であって、
内気導入口（１２）と外気導入口（１３）との下方に配設されるフィルタ挿入部（１５）と、
前記フィルタ挿入部（１５）に着脱自在に配置され、空気中の粉塵、埃を除去する濾過部（６）が所定のピッチに基づいて、山折、谷折を交互に配列するように形成されたフィルタ体（５）と、
前記フィルタ挿入部（１５）のフィルタ挿入口（１５１）を塞ぐとともに、前記フィルタ体（５）の一端部を支持する支持部（２３）を有するフィルタカバー（２１）とを備え、
前記フィルタカバー（２１）には、前記フィルタ体（５）の隣り合う山折と山折もしくは隣り合う谷折と谷折との間の空間に突き出すように形成された突起部（２５）が前記支持部（２３）に設けられたことを特徴とするブロア装置。
【請求項２】
前記突起部（２５）は、前記支持部（２３）の少なくとも空気流れの上流側、もしくは下流側のいずれか一方の内壁に形成されたことを特徴とする請求項１に記載のブロア装置。
【請求項３】
前記支持部（２３）は、前記フィルタ挿入部（１５）の挿入先側に向かって筒状に延設されていることを特徴とする請求項１または請求項２に記載のブロア装置。
【発明の詳細な説明】
【技術分野】
【０００１】
本発明は、内気または外気を導入して熱交換器で熱交換させるために空気流れ下流側に送風するブロア装置に関するものであり、特に、内気導入口と外気導入口との下方に配置されるフィルタの誤組付け防止に関する。
【背景技術】
【０００２】
従来、この種のブロア装置として、例えば、特許文献１に示されるものが知られている。すなわち、内気導入口と、外気導入口と、内気導入口または外気導入口を開閉するための切替ドアと、内気導入口の下方に配置するフィルタ挿入部とを備えている。そして、フィルタ挿入部を内気導入口と連接して形成している。
【０００３】
これにより、内気導入口とフィルタ挿入部とは連接した開口部となることで、フィルタ交換の際、フィルタをフィルタ挿入部と内気導入口との間で上下に傾倒させることができるため自由度２でフィルタ交換作業を容易に行うことができる。
【特許文献１】特開２００５−１４１５号公報
【発明の開示】
【発明が解決しようとする課題】
【０００４】
しかしながら、この種のフィルタでは汚れたフィルタをブロア装置から取り外して、汚れた部分を清掃した後にブロア装置に組み付けるためのフィルタ交換作業がある。換言すると、清掃したフィルタには通向性があるため元通りにブロア装置に組み付けることが必要である。
【０００５】
上記特許文献１によれば、フィルタを清掃した後にブロア装置に組み付けるフィルタ交換作業については記載されていないが、フィルタをブロア装置に組み付けの際には、誤ってフィルタを元通りと異なる逆向きに配置するように組み付けられる恐れがある。つまり、フィルタがフィルタ挿入部に対して元通りと異なる逆向きに組み付けが出来ないような構成にはなっていない。
【０００６】
そこで、本発明の目的は、上記点に鑑みたものであり、フィルタの誤組付け防止ができるブロア装置を提供することにある。
【課題を解決するための手段】
【０００７】
上記目的を達成するために、請求項１ないし請求項３に記載の技術的手段を採用する。すなわち、請求項１に記載の発明では、内気または外気を導入して熱交換器で熱交換させるために空気流れ下流側に送風するブロア装置であって、内気導入口（１２）と外気導入口（１３）との下方に配設されるフィルタ挿入部（１５）と、このフィルタ挿入部（１５）に着脱自在に配置され、空気中の粉塵、埃を除去する濾過部（６）が所定のピッチに基づいて、山折、谷折を交互に配列するように形成されたフィルタ体（５）と、フィルタ挿入部（１５）のフィルタ挿入口（１５１）を塞ぐとともに、フィルタ体（５）の一端部を支持する支持部（２３）を有するフィルタカバー（２１）とを備え、
このフィルタカバー（２１）には、フィルタ体（５）の隣り合う山折と山折もしくは隣り合う谷折と谷折との間の空間に突き出すように形成された突起部（２５）が支持部（２３）に設けられたことを特徴としている。
【０００８】
この発明によれば、隣り合う山折と山折もしくは隣り合う谷折と谷折との間の空間に対向する側には、山折もしくは谷折が形成されているため、フィルタ体（５）が支持部（２３）に組付けができないことでフィルタ体（５）の誤組付け防止ができる。
【０００９】
請求項２に記載の発明では、突起部（２５）は、支持部（２３）の少なくとも空気流れの上流側、もしくは下流側のいずれか一方の内壁に形成されたことを特徴としている。この発明によれば、支持部（２３）の空気流れの下流側に突起部（２５）を形成したときには、フィルタ体（５）が突起部（２５）に引っ掛けて支持されているため、フィルタ交換作業の際にフィルタ体（５）の落下防止が図れる。
【００１０】
請求項３に記載の発明では、支持部（２３）は、フィルタ挿入部（１５）の挿入先側に向かって筒状に延設されていることを特徴としている。この発明によれば、フィルタ体（５）が延設された筒状の内壁からなる支持部（２３）で支持されることでフィルタ交換作業が容易にできる。
【００１１】
例えば、車両のグローブボックスを外した後、狭い空間のフィルタ交換スペースであっても、フィルタ挿入口（１５１）に向けてフィルタ体（５）およびフィルタカバー（２１）を挿入することができる。従って、容易にフィルタ交換を行うことができる。
【００１２】
なお、上記各手段の括弧内の符号は、後述する実施形態の具体的手段との対応関係を示すものである。
【発明を実施するための最良の形態】
【００１３】
以下、本発明の一実施形態におけるブロア装置１を図１ないし図６に基づいて説明する。図１は本実施形態におけるブロア装置１の全体構成を示す部分縦断面図であり、図２は図１に示すブロア装置１の断面形状を示す縦断面図である。図３はフィルタ体５の全体構成を示す斜視図である。
【００１４】
また、図４はフィルタカバー２１の全体構成を示す正面図であり、図５は図４に示すＡ−Ａ断面図である。図６はフィルタ体５がフィルタカバー２１の支持部２３に支持された装着形態を示す縦断面図である。
【００１５】
本実施形態のブロワ装置１は、図１および図２に示すように、上部に内外気切替箱２が配置され、下部に図示しないファンとモータを有する空気吸引駆動部３が配置されている。内外気切替箱２は、内部を中空状に形成した本体ケース１１の上部ケース部１１１に内気導入口１２と外気導入口１３が形成されている。また、下部ケース部１１２には、図３に示すフィルタ体５を挿入するフィルタ挿入部１５が形成されている。
【００１６】
さらに、上部ケース部１１１は、側壁部１１１ｂが両側壁部１１１ｂ、１１１ｂを接続する天井壁部１１１ａを頂点にして略三角状に形成され、両側壁部１１１ｂ、１１１ｂ間には天井壁部１１１ａを間にして、一方の側に前述の内気導入口１２が形成され、他方の側に前述の外気導入口１３が形成されている。上部ケース部１１１の内部は内外気導入室１４として形成される。
【００１７】
また、下部ケース部１１２の側壁部１１２ａは、上部ケース部１１１に連接して略矩形状に形成され、両側壁部１１２ａ、１１２ａ間に、前述のフィルタ挿入部１５が、内気導入口１２下方側のフィルタ挿入口１５１を開口して内外気導入室１４に連接するように形成される。ここで、フィルタ挿入口１５１は、フィルタ体５をフィルタ挿入部１５に出し入れするための挿入口である。
【００１８】
換言すると、フィルタ体５の清掃、もしくは新品のフィルタ体５に交換するフィルタ交換作業のときに、フィルタ挿入部１５に配置されたフィルタ体５をフィルタカバー２１と一体となって取り出すための開口部である。
【００１９】
また、上部ケース部１１１の両側壁部１１１ｂ、１１１ｂの下部にはそれぞれロータリ式の切替ドア１６を軸支する軸部１７、１７が内方に突き出して形成され、下部ケース部１１２の内気導入口１２側の両側壁部１１２ａ、１１２ａ端部に、図１に示すフィルタカバー２１を係止する爪部１８が形成されている。
【００２０】
一方、フィルタカバー２１は、図１または図４および図５に示すように、本体ケース１１のフィルタ挿入部１５のフィルタ挿入口１５１を塞ぐとともに横方向に長尺状に形成された矩形板状の本体部２２と、本体部２２の内側にフィルタ体５の一端部を支持する支持部２３と、本体部２２の長手方向の両側端面から本体ケース１１側に突出する爪係合部２４とを有して形成されている。
【００２１】
支持部２３は、フィルタ体５の一端部を支持するために、本体部２２からフィルタ挿入部１５の挿入先側に向かって筒状になるように内壁を延設させて形成している。つまり、筒状の内壁の内側にフィルタ体５の一端部が嵌合するように支持部２３を形成している。より具体的には、支持部２３はフィルタ体５の断面形状に応じた形状、すなわち略矩形状に形成されている。
【００２２】
そして、支持部２３の内壁面下方に内側に突き出す複数（例えば、４個）の突起部２５が一体的に形成されている。突起部２５は、図６に示すように、後述するフィルタ体５の隣り合う山折と山折もしくは隣り合う谷折と谷折との間の空間に突き出すように形成されている。従って、本実施形態の突起部２５は、フィルタ体５の空気流れの下流側に形成されることになる。
【００２３】
これにより、支持部２３に嵌り合ったフィルタ体５を引き出して、裏表を逆向きにして支持部２３に組み付けると、フィルタ体５の山折もしくは谷折の部分が突起部２５に干渉することでフィルタ体５を支持部２３に嵌め合わせることができない。つまり、フィルタ交換作業のときにおけるフィルタ体５の誤組付けの防止ができる。
【００２４】
ところで、フィルタカバー２１の本体部２２は、端縁部が全周あるいは側端部のみ内方に折り曲がるように形成してもよく、爪係合部２４は爪部１８に係合できるものであれば、その形状に限定するものではない。また、本体ケース１１の外気導入口１３の周りには、外気導入ダクトの一端を接続するための枠部１３１（図２参照）が全周にわたって形成されている。
【００２５】
本実施形態のフィルタ体５は、図１および図３に示すように、フィルタ挿入部１５に配置され、空気中の粉塵、埃を除去する濾過部であるフィルタ６を有し、このフィルタ６の通風面積を大きくするために、このフィルタ６が山折、谷折に交互に配列するように形成されている。フィルタ６は、例えば、紙材や樹脂材の不織布から形成している。
【００２６】
また、フィルタ６の前後端部には、硬質の布状板部材あるいは金属板７がフィルタ６を支持するように装着して形成されている。この布状板部材あるいは金属板７は、フィルタ６を所定のピッチで山折、谷折に固定するための固定部材である。これにより、フィルタ体５は、フィルタ６本体の剛性が保たれるとともに、所定のピッチで波型に形成される。
【００２７】
ところで、フィルタ体５をフィルタカバー２１の支持部２３に組み付けるときには、図５に示すように、フィルタ体５には布状板部材あるいは金属板７が設けられている。従って、布状板部材あるいは金属板７を支持部２３内に斜めに傾けて挿入し、布状板部材あるいは金属板７の下端部が突起部２５を乗り越えるように組み付けると良い。
【００２８】
そのために、突起部２５は支持部２３内において、本体部２２の内側との間に空間を形成して突起部２５を形成すると良い。また、フィルタ挿入部１５にフィルタ体５を挿入する際には、フィルタカバー２１にフィルタ体５を組み付けた後にフィルタ挿入口１５１の手前方向から挿入することとなる。
【００２９】
ところで、フィルタカバー２１にフィルタ体５の裏表を逆向きにして支持部２３に組み付けると、フィルタ体５の山折もしくは谷折の部分が突起部２５に干渉してしまって、フィルタカバー２１とフィルタ体５とが組み付けることが出来ない。従って、フィルタ体５の誤組付け防止が図れる。
【００３０】
次に、以上の構成によるブロア装置１のフィルタ交換作業について説明する。まず、フィルタ体５をフィルタ挿入部１５内に組み付けたブロワ装置１は、図１に示すように、フィルタカバー２１をフィルタ挿入部１５のフィルタ挿入口１５１側に装着するとともに、切替ドア１６を内気導入口１２と外気導入口１３とのいずれかを開閉可能にするために軸部１７に回動可能に装着されている。
【００３１】
そして、内気導入口１２もしくは外気導入口１３を流れた空気は、所定のピッチで形成された谷折、山折からなるフィルタ６を通過することで空気中に含まれる粉塵、埃が除去される。そして、フィルタ体５を交換するためにフィルタ交換作業がある。
【００３２】
ところで、ブロワ装置１は、図示しない空調ユニットのユニットケースに連結して、ユニットケース自体を自動車のインストルメントパネル内に配置する。そして、ブロワ装置１は、フィルタ体５を交換しやすいように、助手席側グローブボックスの車両進行方向における前方に配置している。
【００３３】
フィルタ体５の交換の際、グローブボックスを取り外すと、ブロワ装置１のフィルタカバー２１が正面に現れることになり、フィルタカバー２１の爪係合部２４を本体ケース１１の爪部１８より係合解除して本体ケース１１より取り外す。これにより、フィルタ挿入部１５に挿入されているフィルタ体５がフィルタ挿入部１５から取り出すことができる。
【００３４】
次に、新しいフィルタ体５をフィルタ挿入部１５に挿入することとなる。新しいフィルタ体５を支持部２３に嵌め合わせて、フィルタカバー２１にフィルタ体５を支持させる。このときに、図５に示すように、フィルタ体５には布状板部材あるいは金属板７が設けられているので、布状板部材あるいは金属板７を支持部２３内に斜めに傾けて、布状板部材あるいは金属板７の下端部が突起部２５を乗り越えるように組み付ける。
【００３５】
そして、フィルタ体５の隣り合う山折と山折もしくは隣り合う谷折と谷折との間の空間に突起部２５が嵌め合わせることでフィルタカバー２１にフィルタ体５が支持される。そして、フィルタカバー２１にフィルタ体５を支持させた状態でフィルタ挿入口１５１からフィルタ挿入部１５に挿入する。フィルタ体５がフィルタ挿入部１５に挿入されると、フィルタカバー２１の爪係合部２４を本体ケース１１の爪部１８に係合して装着する。これにより、フィルタ体５がフィルタ挿入部１５に配置される。
【００３６】
本実施形態では、フィルタ交換作業として、フィルタ挿入部１５に新しいフィルタ体５を配置させたが、これに限らず、定期的にフィルタ体５を清掃し、その清掃したフィルタ体５を元の位置に配置するためのフィルタ交換作業もある。
【００３７】
以上の一実施形態によるブロワ装置１によれば、フィルタカバー２１には、フィルタ体５の隣り合う山折と山折もしくは隣り合う谷折と谷折との間の空間に突き出すように形成された突起部２５が支持部２３に設けられたことにより、隣り合う山折と山折もしくは隣り合う谷折と谷折との間の空間に対向する側には、山折もしくは谷折が形成されているため、フィルタ体５が支持部２３に組付けができないことでフィルタ体５の誤組付け防止ができる。
【００３８】
また、突起部２５は、支持部２３の下方側、すなわち空気流れの内壁に形成されたことにより、フィルタ体５が突起部２５に引っ掛けて支持されているため、フィルタ交換作業の際にフィルタ体５の落下防止が図れる。
【００３９】
また、支持部２３は、フィルタ挿入部１５の挿入先側に向かって筒状に延設されていることにより、フィルタ体５が延設された筒状の内壁からなる支持部２３で支持されることでフィルタ交換作業が容易にできる。
【００４０】
例えば、車両のグローブボックスを外した後、狭い空間のフィルタ交換スペースであっても、フィルタ挿入口１５１に向けてフィルタ体５およびフィルタカバー２１を挿入することができる。従って、容易にフィルタ交換を行うことができる。
【００４１】
（他の実施形態）
以上の一実施形態では、フィルタカバー２１に形成される突起部２５を支持部２３の内壁面下方の内側に一体的に形成させたが、これに限らず、図７に示すように、突起部２５を支持部２３の内壁面上方の内側に一体的に形成しても良い。つまり、フィルタ体５の空気流れの上流側に突起部２５に形成されることになる。
【００４２】
これによれば、支持部２３に嵌り合ったフィルタ体５を引き出して、裏表を逆向きにして支持部２３に組み付けると、フィルタ体５の山折もしくは谷折の部分が突起部２５に干渉することでフィルタ体５を支持部２３に嵌め合わせることができない。従って、フィルタ交換作業のときにおけるフィルタ体５の誤組付けの防止ができる。
【図面の簡単な説明】
【００４３】
【図１】本発明の一実施形態におけるブロア装置１の全体構成を示す部分縦断面図である。
【図２】図１に示すブロア装置１の断面形状を示す縦断面図である。
【図３】本発明の一実施形態におけるフィルタ体５の全体構成を示す斜視図である。
【図４】本発明の一実施形態におけるフィルタカバー２１の全体構成を示す正面図である。
【図５】図４に示すＡ−Ａ断面図である。
【図６】本発明の一実施形態におけるフィルタ体５がフィルタカバー２１の支持部２３に支持された装着形態を示す縦断面図である。
【図７】他の実施形態におけるフィルタ体５がフィルタカバー２１の支持部２３に支持された装着形態を示す縦断面図である。
【符号の説明】
【００４４】
５…フィルタ体
６…フィルタ（濾過部）
１２…内気導入口
１３…外気導入口
１５…フィルタ挿入部
２３…支持部
２５…突起部
１５１…フィルタ挿入口
【図１】
2008120219.tif 000003
【図２】
2008120219.tif 000004
【図３】
2008120219.tif 000005
【図４】
2008120219.tif 000006
【図５】
2008120219.tif 000007
【図６】
2008120219.tif 000008
【図７】
2008120219.tif 000009